(57)【特許請求の範囲】
【請求項１】
無線通信機のアンテナの状態を判定するアンテナ状態判定回路であって、
前記無線通信機の通信信号の周波数と異なる周波数を発振周波数とする帰還回路を有する発振回路と、
前記帰還回路に前記アンテナが接続されていない第１接続状態と、前記帰還回路に前記アンテナが接続されている第２接続状態を切り換えるアンテナ接続部と、
前記発振回路の出力信号の周波数を計測する周波数計測部と、
計測された周波数に基づいてアンテナの状態を判定する状態判定部と、
を備えるアンテナ状態判定回路。
【請求項２】
請求項１に記載のアンテナ状態判定回路であって、
前記周波数計測部は、
前記第１接続状態の周波数と前記第２接続状態の周波数とを計測し、
前記状態判定部は、
前記第１接続状態の周波数と前記第２接続状態の周波数とに基づいて、前記アンテナの状態を判定する、
アンテナ状態判定回路。
【請求項３】
請求項２に記載のアンテナ状態判定回路であって、
前記状態判定部は、
前記第１接続状態の周波数と前記第２接続状態の周波数が異なり、且つ、前記第２接続状態の周波数が０でないときに、前記アンテナが正常状態であると判定する、
アンテナ状態判定回路。
【請求項４】
請求項２に記載のアンテナ状態判定回路であって、
前記状態判定部は、
前記第１接続状態の周波数と前記第２接続状態の周波数が同じ、または、前記第２接続状態の周波数が０であるとき、前記アンテナが異常状態であると判定する、
アンテナ状態判定回路。
【請求項５】
請求項４に記載のアンテナ状態判定回路であって、
前記状態判定部は、
前記第１接続状態の周波数と前記第２接続状態の周波数が同じときに、前記アンテナがオープン状態であると判定する、
アンテナ状態判定回路。
【請求項６】
請求項４に記載のアンテナ状態判定回路であって、
前記状態判定部は、
前記第２接続状態の周波数が０であるとき、前記アンテナがショート状態であると判定する、
アンテナ状態判定回路。
【請求項７】
請求項１乃至請求項６のいずれか１項に記載のアンテナ状態判定回路であって、
前記発振回路は、前記帰還回路の素子としてインダクタとキャパシタが接続されたＬＣ発振回路、または、前記帰還回路の素子として抵抗とキャパシタが接続されたＲＣ発振回路である、
アンテナ状態判定回路。
【請求項８】
請求項１乃至請求項７のいずれか１項に記載のアンテナ状態判定回路であって、
前記発振周波数は、前記通信信号の周波数よりも低周波数である、
アンテナ状態判定回路。
【請求項９】
請求項１乃至請求項８のいずれか１項に記載のアンテナ状態判定回路と、
前記通信信号が生成される送信回路と前記アンテナ接続部との間に接続される可変整合回路と、
を備え、
前記アンテナ接続部は、前記帰還回路または前記可変整合回路のいずれかに前記アンテナを接続する、
アンテナチューナ。
【請求項１０】
請求項９に記載のアンテナチューナであって、
前記可変整合回路のインピーダンスを制御する制御部を備え、
前記制御部は、前記状態判定部を含んでいる、
アンテナチューナ。
【請求項１１】
請求項１０に記載のアンテナチューナであって、
前記制御部は、前記アンテナの状態が異常であると判定すると、前記アンテナ接続部または前記送信回路に対して、前記通信信号の送信を停止する、
アンテナチューナ。
【請求項１２】
請求項１０または請求項１１に記載のアンテナチューナと、
前記送信回路と、を備え、
前記通信信号の周波数は、ＭＦ帯またはＨＦ帯である、
無線通信機。
【請求項１３】
無線通信機のアンテナの状態を検出するアンテナ状態判定方法であって、
前記無線通信機の通信信号の周波数と異なる周波数を発振周波数とする発振回路の帰還回路に前記アンテナを接続しない第１接続状態での前記発振回路の出力信号の周波数を計測する工程と、
前記帰還回路に前記アンテナを接続した第２接続状態での前記発振回路の出力信号の周波数を計測する工程と、
前記第１接続状態の周波数と前記第２接続状態の周波数から前記アンテナの状態を判定する判定工程と、
を有する、アンテナ状態判定方法。
【請求項１４】
請求項１３に記載のアンテナ状態判定方法であって、
前記判定工程は、
前記第１接続状態の周波数と前記第２接続状態の周波数が異なり、且つ、前記第２接続状態の周波数が０でないときに、前記アンテナが正常状態であると判定し、
前記第１接続状態の周波数と前記第２接続状態の周波数が同じ、または、前記第２接続状態の周波数が０であるとき、前記アンテナが異常状態であると判定する、
アンテナ状態判定方法。
【請求項１５】
請求項１４に記載のアンテナ状態判定方法であって、
前記第１接続状態の周波数と前記第２接続状態の周波数が同じときに、前記アンテナがオープン状態であると判定し、
前記第２接続状態の周波数が０であるとき、前記アンテナがショート状態であると判定する、
アンテナ状態判定方法。
【発明の詳細な説明】
【技術分野】
【０００１】
本発明は、アンテナが正常に接続されているか、オープン、ショート等の異常状態になっているかを判定するアンテナ状態判定回路、および、このアンテナ状態判定回路を備えるアンテナマッチング回路に関する。
【背景技術】
【０００２】
従来、アンテナの状態を監視、検出する装置および方法が各種考案されている。
【０００３】
特許文献１に記載のアンテナ状態監視装置は、送信信号の電力増幅回路の消費電力を計測し、消費電力が異常であると、アンテナが正常動作をしていないと判断する。
【０００４】
特許文献２、特許文献３に記載の障害検出方法では、アンテナからの反射電力を測定することで、アンテナの異常を検出している。
【０００５】
特許文献４に記載の異常検出装置では、アンテナに流れる電流によってアンテナの異常を検出している。
【先行技術文献】
【特許文献】
【０００６】
【特許文献１】特許第３８８９００７号明細書
【特許文献２】特開２０１４−６４２２１号公報
【特許文献３】特開平６−２９６１６８号公報
【特許文献４】特開２００８−２２２３３号公報
【発明の概要】
【発明が解決しようとする課題】
【０００７】
しかしながら、上述の各装置および方法では、アンテナに対して送信信号を出力しなければ、アンテナの状態を検出することができない。また、アンテナで送信または受信する周波数帯域が広帯域の場合、上述の各装置および方法では、全帯域に対してアンテナの状態を正確に把握することが容易ではない。また、送信電力が高い場合、検出回路、送信回路を反射信号によって破損する可能性がある。
【０００８】
したがって、本発明の目的は、送信信号の仕様に影響され難く、アンテナの状態を正確に判定することが可能なアンテナ状態判定回路、およびこれを備えたアンテナチューナを提供することにある。
【課題を解決するための手段】
【０００９】
この発明のアンテナ状態判定回路は、無線通信機のアンテナの状態を検出する回路であって、次の特徴を備えている。アンテナ状態判定回路は、発振回路、アンテナ接続部、周波数計測部、および、状態判定部を備える。発振回路は帰還回路を有し、発振回路の発振周波数は、無線通信機の通信信号の周波数と異なる。アンテナ接続部は、帰還回路にアンテナが接続されていない第１接続状態と、帰還回路に前記アンテナが接続されている第２接続状態を切り換える。周波数計測部は、発振回路の出力信号の周波数を計測する。状態判定部は、計測された周波数に基づいてアンテナの状態を判定する。
【００１０】
この構成では、アンテナの状態に応じて、帰還回路のインピーダンスが異なり、発振周波数が異なる。具体的には、アンテナが正常であれば、アンテナのインピーダンスが帰還回路に加わり、アンテナを接続しない状態に対して発振周波数が変化する。アンテナがオープンであれば、アンテナのインピーダンスが帰還回路に加わらず、アンテナを接続しない状態に対して発振周波数は変化しない。アンテナがショートであれば、帰還回路が接地され、発振が停止する。すなわち、発振周波数が０になる。したがって、発振周波数を計測することによって、アンテナの状態の判定が可能になる。
【発明の効果】
【００１１】
この発明によれば、送信信号の仕様に影響され難く、アンテナの状態を正確に判定することができる。
【図面の簡単な説明】
【００１２】
【図１】本発明の実施形態に係るアンテナ状態判定回路を含む無線通信機の機能ブロック図
【図２】本発明のアンテナ状態の検出概念を示す図である。
【図３】本発明の実施形態に係るアンテナ状態判定方法の第１態様を示すフローチャート
【図４】本発明の実施形態に係るアンテナ状態判定方法の第２態様を示すフローチャート
【図５】本発明の実施形態に係るアンテナ状態判定方法の第３態様を示すフローチャート
【図６】本発明の実施形態に係るアンテナ状態判定方法の第４態様を示すフローチャート
【発明を実施するための形態】
【００１３】
本発明の第１の実施形態に係るアンテナ状態判定回路、アンテナチューナ、無線通信機、および、アンテナ状態判定方法について、図を参照して説明する。
【００１４】
図１に示すように、無線通信機１００は、アンテナ１１０、送信回路１０１、および、アンテナチューナ１０を備える。アンテナチューナ１０は、アンテナ状態判定回路２０、および、可変整合回路３０を備える。なお、無線通信機１００は、ＭＦ帯、ＨＦ帯の周波数の通信信号を送信する。この無線通信機１００は、船舶の通信用等に用いるものであり、ＭＦ帯、ＨＦ帯を構成する広い周波数帯域（１．６ＭＨｚから２７ＭＨｚの周波数帯域）の中から選択した所定周波数で、大電力の通信信号を送信する。
【００１５】
アンテナ状態判定回路２０は、発振回路２１、スイッチ２２、周波数計測部２３、制御部２４を備える。スイッチ２２は、本発明の「アンテナ接続部」に対応する。
【００１６】
発振回路２１は、オペアンプ２１１、インピーダンス素子２１２、キャパシタ２１３を備える。発振回路２１は、オペアンプ２１１を用いた負帰還型の発振回路でも正帰還型の発振回路でもよい。図１では、負帰還型の発振回路を図示する。
【００１７】
オペアンプ２１１の反転入力端子は、インピーダンス素子２１２とキャパシタ２１３の並列回路を介して、接地されている。インピーダンス素子２１２は、インダクタまたは抵抗である。オペアンプ２１１の非反転入力端子は、直接接地されている。なお、非反転入力端子は、抵抗等を介して接地してもよい。オペアンプ２１１の出力端子は、非反転入力端子に接続されている。この構成によって、発振回路２１としての基本となる帰還回路が構成されている。この出力端子と非反転入力端子を接続する経路に抵抗等を接続してもよい。オペアンプ２１１の出力端子は、周波数計測部２３に接続されている。周波数計測部２３は、制御部２４に接続されている。
【００１８】
オペアンプ２１１の制御端子（駆動電圧印加端子）は、制御部２４に接続されている。オペアンプ２１１の制御端子には、制御部２４から発振制御用（発振起動用）の電圧が印加される。
【００１９】
スイッチ２２は、共通端子Ｐ２２０、被選択端子Ｐ２２１，Ｐ２２２を備えている。スイッチ２２は、制御部２４からスイッチ制御信号に基づいて、共通端子Ｐ２２０を被選択端子Ｐ２２１，Ｐ２２２のいずれか一方に接続する。共通端子Ｐ２２０は、アンテナ１１０に接続されている。被選択端子Ｐ２２１は、可変整合回路３０を介して、送信回路１０１に接続されている。被選択端子Ｐ２２２は、オペアンプ２１１の非反転入力端子に接続する帰還回路、より具体的には、インピーダンス素子２１２およびキャパシタ２１３における接地される端子と反対側の端子に接続されている。
【００２０】
周波数計測部２３は、発振回路２１の出力信号の周波数を計測する。周波数計測部２３は、計測した周波数を制御部２４に出力する。
【００２１】
制御部２４は、周波数計測部２３で計測された周波数に基づいて、アンテナ１１０の状態を判定する。すなわち、制御部２４は、本発明の「状態判定部」の機能を有する。なお、アンテナ１１０の状態を判定する具体的な方法は、後述する。
【００２２】
制御部２４は、アンテナ接続状態を判定する時に、発振制御用の電圧を供給することによって発振回路２１を発振させる。一方、制御部２４は、アンテナ接続状態を判定する必要が無い時には、発振制御用の電圧の供給を停止することによって発振回路２１の発振を停止させる。
【００２３】
制御部２４は、スイッチ制御信号をスイッチ２２に出力することで、スイッチ２２の接続切替の制御を実行する。具体的には、制御部２４は、アンテナ接続状態を判定する時に、共通端子Ｐ２２０と被選択端子Ｐ２２２とを接続するスイッチ制御信号を出力する。制御部２４は、アンテナ接続状態を判定する必要が無い時には、共通端子Ｐ２２０と被選択端子Ｐ２２１とを接続するスイッチ制御信号を出力する。
【００２４】
制御部２４は、無線通信機１００で送信する通信信号の周波数に基づいて、可変整合回路３０のインピーダンスを調整するインピーダンス制御信号を発生する。
【００２５】
可変整合回路３０は、制御部２４からのインピーダンス制御信号に応じて、インピーダンスが可変し、送信回路１０１とアンテナ１１０（より詳細には、アンテナ１１０とスイッチ２２を含む回路）との間のインピーダンス整合を実現する。
【００２６】
このような構成において、アンテナ状態判定回路２０は、次に示すように、アンテナ１１０の状態を検出する。図２は、本発明のアンテナ状態の検出概念を示す図である。図２（Ａ）はアンテナが正常な状態での等価回路を示し、図２（Ｂ）はアンテナがオープン状態での等価回路を示し、図２（Ｃ）はアンテナがショート状態での等価回路を示す。アンテナがオープン状態とは、アンテナ１１０がスイッチ２２の共通端子にＰ２２０、すなわち、アンテナチューナ１０に接続されていない状態を示す。アンテナがショート状態とは、アンテナ１１０が船体等の導電体に接触して、意図せずに接地されている状態を示す。
【００２７】
アンテナ１１０は、無線通信機１００の通信周波数よりも低い周波数帯域では、等価回路的にキャパシタＣ１１０で表される。なお、より詳細には、キャパシタＣ１１０に直列接続される低い抵抗成分を有するが、ここでは省略する。
【００２８】
アンテナ１１０が正常な状態であると、図２（Ａ）に示すように、インピーダンス素子２１２とキャパシタ２１３に対して、アンテナ１１０によるキャパシタＣ１１０が並列に接続される。したがって、発振回路２１の出力信号の周波数は、インピーダンス素子２１２のインピーダンスとキャパシタ２１３，Ｃ１１０のキャパシタンスによって決定される。
【００２９】
アンテナ１１０がオープンの状態であると、図２（Ｂ）に示すように、アンテナ１１０は、インピーダンス素子２１２とキャパシタ２１３とに接続されていない。したがって、発振回路２１の出力信号の周波数は、インピーダンス素子２１２のインピーダンスとキャパシタ２１３のキャパシタンスによって決定される。
【００３０】
なお、スイッチ２２の共通端子Ｐ２２０が被選択端子Ｐ２２１に接続されている状態、すなわち、アンテナ１１０が可変整合回路３０を介して送信回路１０１に接続されている状態は、図２（Ｂ）に示す、アンテナ１１０がオープンの状態と等価回路としては同じになる。したがって、アンテナ１１０が可変整合回路３０を介して送信回路１０１に接続されている状態では、発振回路２１の出力信号の周波数は、インピーダンス素子２１２のインピーダンスとキャパシタ２１３のキャパシタンスによって決定される。
【００３１】
アンテナ１１０がショートの状態にあると、図２（Ｃ）に示すように、オペアンプ２１１の反転入力端子と非反転入力端子がともに接地された状態となる。したがって、発振回路２１の発振は停止し、発振信号が出力されない。すなわち、出力信号の周波数が「０」となるのと同じになる。
【００３２】
例えば、インピーダンス素子２１２がインダクタの場合であり、インダクタンスがＬ２１２とする。キャパシタ２１３のキャパシタンスがＣ２１３とし、アンテナ１１０のキャパシタンスがＣＣ１１０とする。
【００３３】
この場合、アンテナ１１０が正常であると、発振周波数は、１／（２π√（Ｌ２１２・（Ｃ２１３＋ＣＣ１１０）））である。アンテナ１１０がオープン状態、または、アンテナ１１０が発振回路２１に接続されていないと、発振周波数は、１／（２π√（Ｌ２１２・Ｃ２１３））である。アンテナ１１０がショート状態であると、発振周波数は「０」である。
【００３４】
制御部２４は、スイッチ２２の共通端子Ｐ２２０が被選択端子Ｐ２２２に接続された状態において、周波数が１／（２π√（Ｌ２１２・（Ｃ２１３＋ＣＣ１１０）））であることを検出すると、アンテナ１１０が正常な接続状態であると判定する。
【００３５】
制御部２４は、スイッチ２２の共通端子Ｐ２２０が被選択端子Ｐ２２２に接続された状態において、周波数が１／（２π√（Ｌ２１２・Ｃ２１３））であること、または、周波数が「０」であることを検出すると、アンテナ１１０が異常な接続状態であると判定する。さらに、必要に応じて、制御部２４は、スイッチ２２の共通端子Ｐ２２０が被選択端子Ｐ２２２に接続された状態において、周波数が１／（２π√（Ｌ２１２・Ｃ２１３））であることを検出すると、アンテナ１１０がオープン状態であると判定する。また、制御部２４は、スイッチ２２の共通端子Ｐ２２０が被選択端子Ｐ２２２に接続された状態において、周波数が「０」であることを検出すると、アンテナ１１０がショート状態であると判定する。
【００３６】
このように、本実施形態の構成を用いることによって、アンテナ１１０の接続状態を判定することができる。
【００３７】
また、本実施形態の構成を用いることによって、アンテナ１１０の接続状態の判定用の周波数が、無線通信機１００の無線通信の周波数と異なるので、無線通信の周波数帯域が広くても、これに無関係に、アンテナ１１０の接続状態を、正確且つ確実に判定することができる。
【００３８】
また、本実施形態の構成を用いることによって、通信信号の送信信号を用いなくても、アンテナ１１０の接続状態を判定できるので、送信信号による送信回路１０１の破損を防止できる。特に、送信信号の電力（送信電力）が大きい無線通信機では、送信信号の反射電力等による破損が生じ易いが、本実施形態の構成を用いることによって、このような破損を防止できる。
【００３９】
また、本実施形態の構成では、制御部２４によって、アンテナチューナ１０のインピーダンス調整、および、アンテナ１１０の接続状態の判定を行っている。言い換えれば、アンテナ１１０の接続状態を判定する状態判定部を、アンテナチューナ１０のインピーダンス調整をする制御部２４に含んでいる。これにより、アンテナ１１０の直下に配置されるアンテナチューナ１０の回路構成に、アンテナ１１０の接続状態を判定する回路構成を含み、制御系の機能部の構成要素数を少なくすることができる。これにより、アンテナ１１０の接続状態の判定機能を有するアンテナチューナ１０の回路構成を、より簡素化することができ、小型化が可能になる。
【００４０】
なお、上述の説明では、インピーダンス素子２１２としてインダクタを用いたが、抵抗を用いても、同様の方法によって、アンテナ１１０の接続状態を判定することができる。
【００４１】
上述のアンテナ状態判定回路２０は、次に示すフローを用いて、アンテナ１１０の接続状態を判定する。図３は、本発明の実施形態に係るアンテナ状態判定方法の第１態様を示すフローチャートである。
【００４２】
制御部２４は、スイッチ２２を制御して、アンテナ１１０を送信側に接続させた状態、すなわち、アンテナ１１０を発振回路２１に接続していない状態で、発振回路２１を起動する（Ｓ１０１）。この状態が、本発明の「第１接続状態」に対応する。
【００４３】
周波数計測部２３は、第１接続状態における発振回路２１からの出力信号の周波数を、第１発振周波数ｆ１として計測する（Ｓ１０２）。この際、周波数計測部２３は、発振回路２１が起動してから所定時間が経過し、発振回路２１の出力信号の周波数が安定した状態において、第１発振周波数ｆ１を計測する。
【００４４】
制御部２４は、スイッチ２２を制御して、アンテナ１１０を発振回路２１に接続する（Ｓ１０３）。この状態が、本発明の「第２接続状態」に対応する。
【００４５】
周波数計測部２３は、第２接続状態における発振回路２１からの出力信号の周波数を、第２発振周波数ｆ２として計測する（Ｓ１０４）。この際、周波数計測部２３は、アンテナ１１０を発振回路２１に接続してから所定時間が経過し、発振回路２１の出力信号の周波数が安定した状態において、第２発振周波数ｆ２を計測する。
【００４６】
制御部２４は、第１発振周波数ｆ１と第２発振周波数ｆ２とを比較する（Ｓ１０５）。制御部２４は、第１発振周波数ｆ１と第２発振周波数ｆ２が異なり（ｆ１≠ｆ２）、且つ、第２発振周波数ｆ２が「０」でない（ｆ２≠０）ことによって定義される判定条件を満たしていれば（Ｓ１０６：ＹＥＳ）、アンテナ１１０の接続状態が正常であると判定する（Ｓ１０７）。なお、第１発振周波数ｆ１と第２発振周波数ｆ２が異なる（ｆ１≠ｆ２）との判定は、完全に異なるものに限らない。例えば、第１発振周波数ｆ１と第２発振周波数ｆ２との周波数差が所定の閾値以上である場合に、第１発振周波数ｆ１と第２発振周波数ｆ２が異なる（ｆ１≠ｆ２）と判定してもよい。
【００４７】
制御部２４は、上記判定条件を満たしていなければ（Ｓ１０６：ＮＯ）、アンテナ１１０の接続状態が異常であると判定する（Ｓ１０８）。
【００４８】
制御部２４は、アンテナ１１０の接続状態の判定が終了すると、発振回路２１の発振を停止する（Ｓ１０９）。
【００４９】
このように、本実施形態のアンテナ状態判定方法を用いることによって、上述のように、アンテナ１１０の接続状態を正確且つ確実に判定することができる。
【００５０】
また、この第１態様からなるアンテナ状態判定方法を用いることによって、アンテナ１１０を発振回路２１に接続していない状態において計測された周波数を、リファレンスにすることができる。したがって、アンテナ１１０の接続状態を判定しようとしている環境が発振回路２１の発振周波数に与える影響を抑圧でき、アンテナ１１０の接続状態をより正確に判定することができる。
【００５１】
図４は、本発明の実施形態に係るアンテナ状態判定方法の第２態様を示すフローチャートである。図４に示すアンテナ状態判定方法は、図３に示した第１態様に対して、アンテナの接続状態が異常である場合におけるより詳細な判定を行うものである。したがって、この異常状態での判定の処理を除き、図３に示す第１態様の処理と同じであり、図３と同じ処理の説明は省略する。
【００５２】
制御部２４は、アンテナ接続状態が正常であるか異常であるかの判定条件を満たしていなければ（Ｓ１０６：ＮＯ）、第１発振周波数ｆ１と第２発振周波数ｆ２とが同じ周波数であるか否かを判定する。この際、制御部２４は、第１発振周波数ｆ１と第２発振周波数ｆ２とが完全に同じ周波数であるか否かで判定することに限らない。例えば、第１発振周波数ｆ１と第２発振周波数ｆ２との周波数差が所定の閾値未満である場合に、第１発振周波数ｆ１と第２発振周波数ｆ２が同じである（ｆ１＝ｆ２）と判定してもよい。
【００５３】
制御部２４は、第１発振周波数ｆ１と第２発振周波数ｆ２が同じである（ｆ１＝ｆ２）というオープン状態判定条件を満たしていると（Ｓ１１１：ＹＥＳ）、アンテナ１１０がオープン状態であると判定する（Ｓ１１２）。制御部２４は、オープン状態判定条件を満たしていないと（Ｓ１１１：ＮＯ）、アンテナ１１０がショート状態であると判定する（Ｓ１１３）。
【００５４】
このような処理を行うことによって、単にアンテナ接続状態が異常であるだけでなく、オープン状態であるかショート状態であるかを判定することができる。これにより、ユーザは、アンテナ１１０の異常状態を、より詳細に把握でき、復旧作業を容易にすることができる。
【００５５】
図５は、本発明の実施形態に係るアンテナ状態判定方法の第３態様を示すフローチャートである。図５に示すアンテナ状態判定方法は、図３に示すアンテナ状態判定方法に対して、第１発振周波数ｆ１の取得方法が異なる。他の処理は、図３のアンテナ状態判定方法と同じであり、説明は省略する。
【００５６】
制御部２４は、アンテナ１１０が接続されていない状態での発振回路２１の発振周波数を、第１発振周波数ｆ１として、予め取得して記憶している。例えば、制御部２４には、発振回路２１の設計上の発振周波数を、第１発振周波数ｆ１として記憶している。
【００５７】
制御部２４は、記憶されている第１発振周波数ｆ１を読み出す（Ｓ１２１）。制御部２４は、これ以降、図３に示すアンテナ状態判定方法の処理を用いて、第２発振周波数ｆ２を取得し、アンテナ１１０の接続状態を判定する。
【００５８】
このような処理を用いることによって、リファレンスとなる発振周波数を取得する時間を短縮でき、アンテナ１１０の接続状態を、より速く判定することができる。
【００５９】
図６は、本発明の実施形態に係るアンテナ状態判定方法の第４態様を示すフローチャートである。図６に示すアンテナ状態判定方法は、図３に示すアンテナ状態判定方法に対して、送信停止制御を追加したものであり、他の処理は、図３のアンテナ状態判定方法と同じであり、説明は省略する。
【００６０】
制御部２４は、アンテナ接続状態が異常であると判定すると（Ｓ１０８）、送信停止制御を実行する（Ｓ１３０）。具体的には、例えば、制御部２４は、無線通信機１００の送信回路１０１に対して、送信信号の生成の停止を制御する。また、例えば、制御部２４は、スイッチ２２に対して、アンテナ１１０と可変整合回路３０とを接続しないように制御する。
【００６１】
このような処理を用いることによって、上述の作用効果とともに、不必要な送信信号の生成を防止することができる。
【００６２】
なお、上述の説明では、アンテナ接続状態の判定時のみに、発振回路２１を発振させる態様を示したが、定常的に発振回路２１を発振させていてもよい。ただし、アンテナ接続状態の判定時のみに、発振回路２１を発振させることによって、発振回路２１から出力される信号が、送信信号に与える影響を抑制することができる。また、消費電力を抑制することができる。
【００６３】
また、上述の説明では、発振回路２１の発振周波数が、無線通信機１００の通信信号の周波数よりも低い態様を示したが、高い場合にであっても、同様の概念を用いて、アンテナの接続状態を判定することができる。ただし、発振回路２１の発振周波数が無線通信機１００の通信信号の周波数よりも低い場合、アンテナ１１０は、等価回路上、必ずキャパシタ（Ｃ性）になるので、アンテナ接続状態を、より安定して判定することができる。
【００６４】
また、上述の説明では、発振回路２１の発振周波数が無線通信機１００の通信信号の周波数よりも低いとだけ示したが、これらの周波数の桁が異なることが望ましい。例えば、発振回路２１の発振周波数は、１０ｋＨｚ台から１００ｋＨｚ程度であると好ましい。これにより、アンテナ接続状態を、より安定して判定することができる。また、このような発振周波数を用いることによって、アンテナ接続状態を判定するための信号がアンテナから放射されることを抑制できる。また、図示していないが、アンテナと発振回路との間には、抵抗を接続するとよい。これにより、発振回路からアンテナに流れ込む電流を制限することができる。
【００６５】
また、上述の説明では、発振回路にオペアンプを用いる態様を示したが、パッケージとしてコンパレータと成っているＩＣを用いてもよい。また、オペアンプを用いることなく、トランジスタ等の増幅素子に帰還回路を接続して発振回路を構成してもよい。
【００６６】
また、上述の処理方法の各態様は、それぞれ適宜組み合わせることが可能である。
【符号の説明】
【００６７】
１０：アンテナチューナ
２０：アンテナ状態判定回路
２１：発振回路
２２：スイッチ
２３：周波数計測部
２４：制御部
３０：可変整合回路
１００：無線通信機
１０１：送信回路
１１０：アンテナ
２１１：オペアンプ
２１２：インピーダンス素子
２１３，Ｃ１１０：キャパシタ
【図１】
0006584943.tif 000002
【図２】
0006584943.tif 000003
【図３】
0006584943.tif 000004
【図４】
0006584943.tif 000005
【図５】
0006584943.tif 000006
【図６】
0006584943.tif 000007